(57)【要約】【課題】室内を照明するとともに、その発光を幻想的にする演出効果を奏し得るパネルの照明構造を提供すること。【解決手段】浴室１０に設けられたミラーパネル２０に、表面から裏面に貫通する穴部２４を設け、この穴部２４に透光性の小棚２３ａ等を取り付けるとともに、ミラーパネル２０の裏面側に発光体２６を取り付けた。また、小棚２３ａ等に替えて、透光部３３ａ等の表面とミラーパネル３０の表面とを略同一面内に位置させるようにして、透光部３３ａ等をミラーパネル３０に取り付けた。さらに、小棚２３ａ等や透光部３３ａ等を、ミラーパネル２０，３０に対して着脱可能にした。【選択図】  図１
2004178825.tif 000002
【特許請求の範囲】
【請求項１】
室内に設けられたパネルに、前記パネルの表面から裏面に貫通する穴部を設け、この穴部に透光性部材を取り付けるとともに、前記パネルの裏面側に発光体を取り付けたことを特徴とするパネルの照明構造。
【請求項２】
前記透光性部材の表面と前記パネルの表面とを略同一面内に位置させて、前記透光性部材を前記パネルに取り付けた請求項１に記載のパネルの照明構造。
【請求項３】
前記透光性部材を、前記パネルの表面から突出した棚部材で構成した請求項１に記載のパネルの照明構造。
【請求項４】
前記透光性部材を、前記パネルに対して着脱可能にした請求項１ないし３のうちのいずれか一つに記載のパネルの照明構造。
【請求項５】
前記パネルを浴室に設けられたミラーパネルで構成した請求項１ないし４のうちのいずれか一つに記載のパネルの照明構造。
【発明の詳細な説明】
【０００１】
【発明の属する技術分野】
本発明は、壁面等に使用されるパネルに光模様を映し出すためのパネルの照明構造に関する。
【０００２】
【従来の技術】
従来から、室内の壁面や天井面等を構成するパネルに照明装置を取り付けることが行われており、このようなものの中に、浴室に設けられたミラーパネルに照明装置を取り付けたものがある（例えば、特許文献１参照）。
【０００３】
【特許文献１】
特開２００１−３５２４５号公報
【０００４】
【発明が解決しようとする課題】
しかしながら、従来の照明装置は、室内を明るくすることを主目的とし、照明装置自体のデザインに工夫が加えられたり、清掃し易い構造に設計されたりはしているものの照明装置による演出効果という点についてはあまり考慮されていないというのが現状である。特に、浴室や寝室は、単に体を洗ったり、就寝したりするためのものに留まらず、最近では、疲労回復や精神的なリフレッシュの場としての利用が注目されてきており、光や音等を使った演出効果が望まれるようになってきている。
【０００５】
【発明の概要】
本発明は、上記問題に対処するためになされたもので、その目的は、室内を照明するとともに、その発光を幻想的にするための演出効果を奏し得るパネルの照明構造を提供することである。
【０００６】
上記の目的を達成するため、本発明にかかるパネルの照明構造の特徴は、室内に設けられたパネルに、パネルの表面から裏面に貫通する穴部を設け、この穴部に透光性部材を取り付けるとともに、パネルの裏面側に発光体を取り付けたことにある。
【０００７】
前記のように構成した本発明のパネルの照明構造によれば、パネルの裏面側に取り付けられた発光体の発光を、パネルの穴部に取り付けられた透光性部材を介して見ることができる。この場合、その光は、あたかもパネル自体から発光しているように見え興趣に富んだものとなる。また、パネルに設ける穴部の形状や、その穴部に取り付けられる透光性部材の形状は任意の形状にすることができ、これによって、パネルにかもし出される光模様を任意の形状にすることができる。さらに、発光体の発光や透光性部材を有色にすることもでき、これにより、光模様はより一層興趣に富んだものとなる。また、パネルとしては、浴室や寝室等の各種の室内において壁面、天井面および床面に使用されるものやパーテーション等の各種のパネルが使用できる。
【０００８】
また、本発明にかかるパネルの照明構造の他の構成上の特徴は、透光性部材の表面とパネルの表面とを略同一面内に位置させて、透光性部材をパネルに取り付けたことにある。これによると、パネルの表面と透光性部材の表面との間に段差がなくなるため、両表面間に汚れが付着したり、透光性部材の上面に埃が溜まったりすることが無くなる。また、パネルの表面に凹凸がないためパネルの清掃作業が容易になる。
【０００９】
また、本発明にかかるパネルの照明構造のさらに他の構成上の特徴は、透光性部材を、パネルの表面から突出した棚部材で構成したことにある。これによると、物を置くための棚を照明具として利用することができ、棚の有効利用が可能になると共に、近年増えてきた間接照明と組み合わせたり照明として棚のみを発光させたりした場合には、棚自体を使用者に明確に認識させ、棚の使い勝手を向上させることが可能となる。また、物を置くための棚が発光するという意外性により、演出効果がさらに大きくなる。
【００１０】
また、本発明にかかるパネルの照明構造のさらに他の構成上の特徴は、透光性部材を、パネルに対して着脱可能にしたことにある。これによると、複数種類の透光性部材を用いて、適宜透光性部材を取り付ける配置を換えたり、他の透光性部材に取り替えたりすることができる。これによって、演出のバリエーションが増えると共に、室内の雰囲気を簡単に変えることができる。
【００１１】
また、本発明にかかるパネルの照明構造のさらに他の構成上の特徴は、パネルを浴室に設けられたミラーパネルで構成したことにある。これによると、浴室内を幻想的な雰囲気にすることができ、リラクゼーションのための演出効果を奏することができる。
【００１２】
【発明の実施の形態】
以下、本発明の一実施形態を図面を用いて説明する。図１は同実施形態に係るパネルの照明構造を備えた浴室１０を示している。この浴室１０では、図示の手前側から向かって右側の床面が洗い場１１になっており、図示における洗い場１１の左側部分には、平面視が略瓢箪形の浴槽１２が長手方向を浴室１０の前後方向に沿わせて配置されている。そして、浴槽１２の上面周縁部における一方の角部に、浴槽１２内に湯や水を供給するための水栓１３が設けられている。
【００１３】
そして、図示の浴槽１２の奥側における右側部分には、浴槽１２の上面周縁部と略等しい高さに設定されたカウンター１４が設けられている。このカウンター１４には、入浴者が体の洗浄や洗髪を行う際に、シャンプーや石鹸等の入浴用具、洗面用具の外、洗面器などを置くことができる。そして、そのカウンター１４の上方に、壁面１５の一方側部分の壁面に沿ったミラーパネル２０が取り付けられている。
【００１４】
ミラーパネル２０の表面は、幅方向の中央部がやや後方に引っ込んだ湾曲状に形成されており、その中央部よりもやや浴槽１２に近い部分に縦長の楕円形のミラー２１が取り付けられている。そして、ミラー２１の下方には、ミラーパネル２０の幅方向に延びる大棚２２が設けられ、図示におけるミラー２１の右側部分には、３個の小棚２３ａ，２３ｂ，２３ｃが上下に所定間隔を保って設けられている。大棚２２には、湯や水が供給される水栓（図示せず）が設けられ、小棚２３ａ，２３ｂ，２３ｃは、それぞれ洗面用具や入浴用具を置くことができるように構成されている。
【００１５】
各小棚２３ａ，２３ｂ，２３ｃは、それぞれ透光性を有する材質のもので構成されており、図２に示したようにして、ミラーパネル２０に取り付けられている。すなわち、ミラーパネル２０における小棚２３ａ等が取り付けられる部分には、ミラーパネル２０の表面と裏面との間を貫通する穴部２４が設けられ、ミラーパネル２０の裏面と壁面１５との間には隙間２５が形成されている。そして、小棚２３ａ等は、後端部をそれぞれ対応する穴部２４に差し込んでミラーパネル２０に固定され、隙間２５内における穴部２４の周縁部には、それぞれＬＥＤ素子からなる発光体２６が取り付けられている。
【００１６】
また、発光体２６と電源（図示せず）とを接続する配線２７は、配線２７等を収容するための所定部分に延びている。このため、電源を入れることにより、発光体２６を発光させると、その光は、小棚２３ａ等を透過して、小棚２３ａ等の全体を明るくするとともに、小棚２３ａ等の前端面でより一層輝く。また、ミラーパネル２０の上端部には、浴室１０内を明るく照明するための３個の照明装置２８ａ，２８ｂ，２８ｃが設けられている。また、ミラーパネル２０におけるミラー２１の左側部分にはシャワー（図示せず）が設けられている。
【００１７】
この構成において、入浴者が浴室１０内での入浴時に体を洗う際には、洗い場１１におけるカウンター１４の手前に洗い椅子（図示せず）を置いて腰掛け、水栓やシャワーからの湯を使って体を洗う。この場合、照明装置２８ａ等を点灯してカウンター１４の周囲を明るくするとともに、カウンター１４等に置いてある石鹸やシャンプー等の入浴用具や洗面用具を使用し、ひげを剃る際には、ミラー２１を見ながら行う。
【００１８】
そして、浴槽１２内に入るときには、照明装置２８ａ等を消灯して、各発光体２６を点灯させる。これによって、入浴者は湯船に浸かりながら、小棚２３ａ等からの幻想的な発光を眺めることができる。また、間接照明と組合せ、薄暗い浴室１０内において小棚２３ａを発光させることにより、間接照明の効果と併せて更に浴室１０内の演出効果を向上させることができると共に、使用者に小棚２３ａ自体を明確に認識させることができて使い勝手も向上させることができる。
【００１９】
また、図３は本発明の他の実施形態にかかるパネルの照明構造を備えたミラーパネル３０を示している。このミラーパネル３０では、図１に示したミラーパネル２０に取り付けられた小棚２３ａ，２３ｃに替えて、ミラーパネル３０にインサート成形された円弧状の透光部３３ａ，３３ｃが設けられている。この透光部３３ａ，３３ｃの表面は、ミラーパネル３０の表面との間に段差が生じないように略同一面に位置するように形成されている。
【００２０】
また、小棚３３ｂは非透光性の材料で構成され、この小棚３３ｂの裏面には発光体２６は設けられていない。このミラーパネル３０における照明構造のそれ以外の部分の構成については、前述したミラーパネル２０が備える照明構造と同一である。したがって、同一部分に同一符号を記している。
【００２１】
このように構成したため、電源を入れることにより、ミラーパネル３０から円弧状の光模様が２個浮き出るようにして見える。また、この場合、透光部３３ａ，３３ｃは、ミラーパネル３０の表面から突出していないため、埃が溜まって汚れることがない。このため、清掃が容易になり、長期間に亘って、透光部３３ａ，３３ｃからの発光を綺麗な輝いた状態に維持することができる。このミラーパネル３０に取り付けられた照明構造を用いた場合のそれ以外の作用効果については、前述した実施形態と同様である。
【００２２】
なお、前述した両実施形態で用いた小棚２３ａ，２３ｂ，２３ｃおよび透光部３３ａ，３３ｃを構成する材料としては、アクリル等の樹脂やガラス等の材料を用いることができる。また、前述した両実施形態で用いた発光体２６の発光、小棚２３ａ，２３ｂ，２３ｃおよび透光部３３ａ，３３ｃは有色にすることができる。これによって、より光の演出効果を大きくすることができる。さらに、小棚２３ａ，２３ｂ，２３ｃおよび透光部３３ａ，３３ｃをミラーパネル２０，３０から着脱可能にすることもできる。これによると、適宜、色や形の異なる透光性部材を取り付けることができるようになり、室内の雰囲気や演出を簡単に変えることができる。
【００２３】
また、小棚２３ａ，２３ｂ，２３ｃおよび透光部３３ａ，３３ｃの中に、細かな反射物を埋め込むこともできる。これによるとミラーパネル２０，３０から星のような輝きが生じ、より興趣に富んだものとなる。また、前述した実施形態では、発光体２６をＬＥＤ素子で構成したが、この発光体２６はこれに限らず、電球を用いてもよい。また、図３に示した実施形態では、小棚３３ｂを非透光性のもので構成しているが、これを透光性の材質で構成し、その裏面にも発光体２６を設けるようにしてもよい。すなわち、小棚や透光部は、適宜色や形を変更できるとともに、透光性を有するものと非透光性のものとを取り替えることもできる。
【００２４】
さらに、本発明のパネルは、ミラーパネルに限らず、壁面、天井面および床面等に使用されるパネルやパーテーションでもよいし、そのパネルも浴室で使用されるものに限らず、寝室、居間等どのような部屋で使用されるパネルであってもよい。
【図面の簡単な説明】
【図１】本発明の一実施形態によるパネルの照明構造を備えた浴室を示す斜視図である。
【図２】小棚がミラーパネルに取り付けられた状態を示す縦断面図である。
【図３】他の実施形態によるパネルの照明構造を備えたミラーパネルを示す斜視図である。
【符号の説明】
１０…浴室、２０，３０…ミラーパネル、２１…ミラー、２３ａ，２３ｂ，２３ｃ…小棚、２４…穴部、２５…隙間、２６…発光体、３３ａ，３３ｃ…透光部。
【図１】
2004178825.tif 000003
【図２】
2004178825.tif 000004
【図３】
2004178825.tif 000005